(57)【特許請求の範囲】
【請求項１】
紙おむつが装着されて寝ている人の排泄を介助する排泄介助装置であって、
前記紙おむつは、小便排出ノズルが装着された小便排出口と大便排出口とを有し、
大便を収納する大便収納袋を格納するポケットを有する空気圧クッションと、前記空気圧クッションに圧縮空気を供給するコンプレッサと、前記コンプレッサを制御するコンプレッサ制御部と、前記コンプレッサ制御部に排便検知信号を送出する大便検知センサとを備え、
前記大便収納袋は、内部が紙袋とされ、外部がビニール袋とされた防水構造とされて前記内部の紙袋は便と一緒に廃棄されるものとされ、
前記大便検知センサからの排便検知信号により前記コンプレッサ制御部が前記コンプレッサを起動し排便時に臀部を持ち上げる
ことを特徴とする排泄介助装置。
【請求項２】
小便排出ノズルからの小便を吸引する小便吸引具を備えてなることを特徴とする請求項１記載の排泄介助装置。
【請求項３】
吸引された小便を溜める小便貯留タンクを備えてなることを特徴とする請求項２記載の排泄介助装置。
【請求項４】
小便検知センサを備え、該小便検知センサからの排尿検知信号により小便吸引具が起動されるようにされてなることを特徴とする請求項２記載の排泄介助装置。
【請求項５】
大便検知センサにより排便が検知されたことを外部に報知するようにされてなることを特徴とする請求項１記載の排泄介助装置。
【請求項６】
小便検知センサにより排尿が検知されたことを外部に報知するようにされてなることを特徴とする請求項４記載の排泄介助装置。
【発明の詳細な説明】
【技術分野】
【０００１】
本発明は排泄介助装置に関する。さらに詳しくは、寝たきりあるいは歩行困難な病人または要介助者が排泄する大小便を分別して処理する排泄介助装置に関する。
【背景技術】
【０００２】
従来より、寝たきりあるいは歩行困難な病人または要介助者（以下、要介助者で代表させる。）が排泄する大小便を処理する排泄処理装置が種々提案されている。
【０００３】
例えば、特許文献１には、要介助者の股部に取り付けるおむつカップと、このおむつカップに取り付けるホースユニットと、このホースユニットに取り付ける吸引ユニットから構成され、前記おむつカップ内部に排泄物が溜まるとこのおむつカップ内部のセンサがこれを感知して、前記吸引ユニットが作動し、定められた一定の時間をかけて排泄物を吸引し、前記おむつカップ内部と要介助者の局部を洗浄、乾燥する排泄処理装置において、常時または断続的におむつカップ内部へ新鮮な空気が流れるようにし、おむつかぶれの一因となるムレを解消することを目的として、外気開放弁と外気開放管とを設け、排泄物処理時以外の時間も吸引モータを常時または断続的に作動させておむつカップと要介助者との隙間から新鮮な空気を取り込むようにしてなる排泄処理装置が提案されている。
【０００４】
しかしながら、特許文献１の提案においても、大便と小便とをおむつカップにより処理するようにされているので、おむつカップの洗浄が必要になるという問題がある。また、洗浄に水を使用しているので、排水処理が必要となるという問題もある。さらに排水処理を伴うので、排泄処理装置の構成が複雑となり、排泄処理装置が高価となり、またメンテナンスも煩雑になるという問題もある。
【先行技術文献】
【特許文献】
【０００５】
【特許文献１】特開２００５−６６０１１号公報
【発明の開示】
【発明が解決しようとする課題】
【０００６】
本発明はかかる従来技術の課題に鑑みなされたものであって、小便と大便とを分別して処理でき、しかも排水処理の必要がない排泄介助装置を提供することを目的としている。
【課題を解決するための手段】
【０００７】
本発明の排泄介助装置は、紙おむつが装着されて寝ている人の排泄を介助する排泄介助装置であって、前記紙おむつは、小便排出ノズルが装着された小便排出口と大便排出口とを有し、大便を収納する大便収納袋を格納するポケットを有する空気圧クッションと、前記空気圧クッションに圧縮空気を供給するコンプレッサと、前記コンプレッサを制御するコンプレッサ制御部と、前記コンプレッサ制御部に排便検知信号を送出する大便検知センサとを備え、前記大便収納袋は、内部が紙袋とされ、外部がビニール袋とされた防水構造とされて前記内部の紙袋は便と一緒に廃棄されるものとされ、
前記大便検知センサからの排便検知信号により前記コンプレッサ制御部が前記コンプレッサを起動し排便時に臀部を持ち上げることを特徴とする。
【０００９】
また、本発明の排泄介助装置においては、小便排出ノズルからの小便を吸引する小便吸引具を備えてなるのが好ましく、吸引された小便を溜める小便貯留タンクを備えてなるのがさらに好ましい。
【００１０】
また、本発明の排泄介助装置においては、大便検知センサにより排便が検知されたことを外部に報知するようにされてなるのがさらに好ましい。
【００１１】
また、本発明の排泄介助装置においては、小便検知センサを備え、該小便検知センサからの排尿検知信号により小便吸引具が起動されるようにされてなるのが好ましい。その場合、小便検知センサにより排尿が検知されたことを外部に報知するようにされてなるのがさらに好ましい。
【発明の効果】
【００１２】
本発明は、前記の如く構成されているので、排便処理において介護ヘルパーなどの介護職員が要介助者の臀部を持ち上げる必要がなくなり、介護職員の負担が軽減されるという優れた効果を奏する。
【図面の簡単な説明】
【００１３】
【図１】本発明の一実施形態に係る排泄介助装置の概略図である。
【図２】紙おむつの展開図である。
【図３】制御部のブロック図である。
【発明を実施するための形態】
【００１４】
以下、添付図面を参照しながら本発明を実施形態に基づいて説明するが、本発明はかかる実施形態のみに限定されるものではない。
【００１５】
図１に、本発明の一実施形態に係る排泄介助装置（以下、単に介助装置という）Ａを概略図で示す。
【００１６】
介助装置Ａは、図１および図２に示すように、小便と大便とを分別して処理するようにされた紙おむつ１と、紙おむつ１により分別された小便を吸引する小便吸引機２と、吸引された小便を溜める小便貯留タンク（小便タンク）３と、紙おむつ１により分別された大便を溜める大便収納袋４と、大便時に臀部を押し上げる空気圧クッション５と、空気圧クッション５を膨らますコンプレッサ６と、小便排出部に設けられた小便検知センサ（尿センサ）７と、大便排出部に設けられた大便検知センサ（便センサ）８と、小便検知センサ７および大便検知センサ８からのそれぞれの検知信号に基づいて小便吸引機２およびコンプレッサ６のそれぞれを作動させる小便吸引機制御部２１およびコンプレッサ制御部２２を有する制御部２０（図３参照）と、を備えてなるものとされる。
【００１７】
紙おむつ１は小便と大便とを分別して処理するようにされてなるものとされ、図１および図２に示すように、小便排出ノズル１ａが装着された小便排出口１ｂと大便排出口１ｃとを有する。
【００１８】
大便収納袋４は、例えば内部が紙袋とされ外部がビニール袋とされた防水構造とされ、内部の紙袋が便と一緒に廃棄される。
【００１９】
小便タンク３は、例えばポリエチレンタンクとされ、数回の小便を溜めることができる容量とされている。これは、介護職員の負担を軽減するためである。
【００２０】
空気圧クッション５は、合成樹脂製の袋体とされて紙おむつの臀部を覆う個所に着脱自在に配設される。空気圧クッション５は、排便時にコンプレッサ６からの空気により膨らまされて臀部を持ち上げ、排便処理が楽にできるようにするものとされる。また、空気圧クッション５には、大便収納袋４を収納するポケットが設けられている。
【００２１】
小便吸引機２は、例えば吸引ポンプとされる。その吸引量は、毎分一リットル程度とされ、ヘッド差は０．０１−０．１Ｈｐ程度とされ、小便吸引時において要介助者に不快感を与えないよう調整されている。
【００２２】
小便検知センサ７は、例えば静電容量センサとされ、例えば小便排出ノズル１ａの外側にセットされて、排尿の有無を検知する。
【００２３】
大便検知センサ８は、使い捨てとするために安価なセンサとされる。例えば、紙袋の内部に配設された半導体センサ（匂いセンサ，接触式センサ）とされる。
【００２４】
制御部２０は、図３に示すように、前述した小便吸引機制御部２１およびコンプレッサ制御部２２を有するとともに、小便検知センサ７から排尿検知信号および大便検知センサ８からの排便検知信号を受信した際に、排尿や排便があったことを外部、例えば介護ステーションの警報器Ｂなどに連絡する通信手段２３も有している。制御部２０は、その他にタイマやメモリなども有している。なお、制御部２０は、具体的にはマクロコンピュータとされる。
【００２５】
しかして、制御部２０は、小便検知センサ７からの検知信号を受信すると、小便吸引機制御部２１に小便吸引機２の起動指令を送出し、大便検知センサ８からの排便検知信号を受信すると、コンプレッサ制御部２２に起動指令を送出する。また、いずれかの検知信号を受信すると排尿や排便があったことを外部に報知する報知指令を通信手段２３に送出する。なお、報知指令は、排便検知信号を受信した場合にのみ送出されるようにされてもよい。
【００２６】
小便吸引機制御部２１は、小便検知センサ７からの排尿検知信号を受信すると、小便吸引機２に起動信号を送出するとともに、排尿検知信号がなくなると、小便吸引機２に停止信号を送出するものとされる。
【００２７】
コンプレッサ制御部２２は、大便検知センサ８からの排便検知信号を受信するとコンプレッサ６に起動信号を送出するとともに、空気圧クッション５が規定通りに膨らんだと想定される所定時間経過後に停止信号を送出するものとされる。
【００２８】
次に、かかる構成とされた介助装置Ａによる小便処理および大便処理について説明する。
【００２９】
Ａ．小便処理について
ステップ１：小便検知センサ７は、排尿を検知すると排尿検知信号を制御部２０に送出する。
【００３０】
ステップ２：制御部２０は、排尿検知信号を受信すると小便吸引機制御部２１に起動指令を送出するとともに、通信手段２３に介護ステーションの警報器Ｂへの通信指令を送出する。
【００３１】
ステップ３：小便吸引機制御部２１は、起動指令を受信すると小便吸引機２に起動信号を送出する。
【００３２】
ステップ４：小便吸引機２は、小便吸引機制御部２１からの起動信号に応答して小便の吸引を開始するとともに、吸引した小便を小便タンク３に排出する。
【００３３】
ステップ５：制御部２０は、排尿検知信号が消失すると小便吸引機制御部２１に停止指令を送出する。
【００３４】
ステップ６：小便吸引機制御部２１は、停止指令を受信すると小便吸引機２に停止信号を送出する。
【００３５】
ステップ７：小便吸引機２は、小便吸引機制御部２１からの停止信号に応答して小便の吸引を停止する。
【００３６】
ステップ８：通信手段２３は、通信指令を受信すると排尿があった旨の報知信号を介護ステーションの警報器Ｂに送出する。
【００３７】
ステップ９：警報器Ｂは、報知信号を受信すると、排尿アラームを吹奏する。
これにより、小便処理が終了する。なお、小便タンク３に溜まった小便は、例えば定期巡回の際にトイレなどに捨てられる。
【００３８】
なお、前記説明から明らかなように、本紙おむつは小便により汚されることがほとんどないので、清掃することなく再利用が可能である。
【００３９】
Ｂ．大便処理について
ステップ１１：大便検知センサ８は、排便を検知すると排便検知信号を制御部２０に送出する。
【００４０】
ステップ１２：制御部２０は、排便検知信号を受信すると、コンプレッサ制御部２２にコンプレッサ起動指令を送出するとともに、通信手段２３に介護ステーションの警報器Ｂへの通信指令を送出する。
【００４１】
ステップ１３：コンプレッサ制御部２２は、コンプレッサ起動指令を受信すると、コンプレッサ６に起動信号を送出する。
【００４２】
ステップ１４：コンプレッサ６は、コンプレッサ制御部２２からの起動信号に応答して圧縮空気を空気圧クッション５に供給する。
【００４３】
ステップ１５：コンプレッサ制御部２２は、所定時間が経過するとコンプレッサ６に停止信号を送出する。
【００４４】
ステップ１６：コンプレッサ６は、コンプレッサ制御部２２からの停止信号に応答して空気圧クッション５への圧縮空気の供給を停止する。
【００４５】
ステップ１７：通信手段２３は、通信指令を受信すると排便があった旨の報知信号を介護ステーションの警報器Ｂに送出する。
【００４６】
ステップ１８：警報器Ｂは、報知信号を受信すると、排便アラームを吹奏する。
【００４７】
ステップ１９：排便アラームが吹奏されると、介護職員は要介助者の排便処理に向かう。
【００４８】
ステップ２０：介護職員は、大便収納袋４を紙おむつ１から取り外して、大便出納袋４から内部の紙袋を抜き出し所定の手順に従って廃棄処理をする。
【００４９】
これにより、大便処理が終了する。
【００５０】
このように、本実施形態によれば、排便処理において、介護職員が要介助者を持ち上げる必要がなくなり、介護職員の負担が軽減される。
【００５１】
また、排便処理に洗浄水を用いないので、装置の簡略化が図られる。
【００５２】
以上、本発明を実施形態に基づいて説明してきたが、本発明かかる実施形態のみに限定されるものではなく、種々改変が可能である。
【００５３】
例えば、本実施形態では、警報器Ｂにより警報を吹奏するようにされているが、アナウンスを流すようにされてもよい。
【産業上の利用可能性】
【００５４】
本発明は介護産業に適用できる。
【符号の説明】
【００５５】
Ａ        排泄介助装置
Ｂ        警報器
１        紙おむつ
１ａ      小便排出ノズル
１ｂ      小便排出口
１ｃ      大便排出口
２        小便吸引機
３        小便貯留タンク（小便タンク）
４        大便収納袋
５        空気圧クッション
６        コンプレッサ
７        小便検知センサ（尿センサ）
８        大便検知センサ（便センサ）
２０        制御部
２１        小便吸引機制御部
２２        コンプレッサ制御部
２３        通信手段
【図１】
0006780956.tif 000002
【図２】
0006780956.tif 000003
【図３】
0006780956.tif 000004